(57)【要約】【課題】複数の用紙が重ねられた状態で、各用紙に設けられたＩＣタグのＩＣチップから、各ＩＣチップに記憶された情報を効率よく読み取ることができる、用紙サイズが同一の複数の用紙を含む用紙セットと用紙を提供する。【解決手段】用紙セットは、用紙サイズが同一の複数の用紙を含む。用紙は、用紙の表面と裏面との間にＩＣタグを備える。複数の用紙のうちの第一用紙では、ＩＣタグは、表面と裏面の間の用紙の第一方向と第二方向を含む仮想平面の第一領域に配置される。第二方向は、第一方向に直交する。複数の用紙のうちの第二用紙では、ＩＣタグは、第一領域とは異なる仮想平面の第二領域に配置される。【選択図】図１
2018111213.tif 000002
【特許請求の範囲】
【請求項１】
用紙サイズが同一の複数の用紙を含む用紙セットであって、
前記用紙は、前記用紙の表面と裏面との間にＩＣタグを備え、
前記複数の用紙のうちの第一用紙では、前記ＩＣタグは、前記表面と前記裏面との間の前記用紙の第一方向と前記第一方向に直交する前記用紙の第二方向とを含む仮想平面の第一領域に配置され、
前記複数の用紙のうちの第二用紙では、前記ＩＣタグは、前記第一領域とは異なる前記仮想平面の第二領域に配置される、用紙セット。
【請求項２】
前記第二用紙では、前記ＩＣタグは、前記第一領域とは前記第一方向の範囲が一致し且つ前記第二方向の範囲が異なる前記第二領域に配置される、請求項１に記載の用紙セット。
【請求項３】
前記第二用紙では、前記ＩＣタグは、前記第一領域とは前記第一方向の範囲が異なり且つ前記第二方向の範囲が一致する前記第二領域に配置される、請求項１に記載の用紙セット。
【請求項４】
前記表面と前記裏面とのうちの何れか一方の面を形成する第一用紙基材と、
前記第一用紙基材と一体をなし、前記表面と前記裏面とのうちの何れか他方の面を形成する第二用紙基材と、を備え、
前記ＩＣタグは、前記第一用紙基材と前記第二用紙基材との間に設けられ、
前記ＩＣタグには、ＩＣチップとアンテナとが設けられるインレット基材に、前記第一方向と前記第二方向とに直交する前記用紙の第三方向に前記インレット基材を貫通する貫通孔が設けられる、請求項１から請求項３の何れか１項に記載の用紙セット。
【請求項５】
前記用紙は、前記第一用紙基材と前記第二用紙基材とが抄き合わされた和紙であり、
前記インレット基材は、樹脂製である、請求項４に記載の用紙セット。
【請求項６】
第一用紙基材と、
前記第一用紙基材と一体をなす第二用紙基材と、
前記第一用紙基材と前記第二用紙基材との間に設けられるＩＣタグと、を備え、
前記ＩＣタグには、ＩＣチップとアンテナとが設けられるインレット基材に、前記インレット基材の厚み方向に一致する第三方向に前記インレット基材を貫通する貫通孔が設けられる、用紙。
【請求項７】
前記用紙は、前記第一用紙基材と前記第二用紙基材とが抄き合わされた和紙であり、
前記インレット基材は、樹脂製である、請求項６に記載の用紙。
【発明の詳細な説明】
【技術分野】
【０００１】
本発明は、用紙サイズが同一の複数の用紙を含む用紙セットと、用紙に関する。
【背景技術】
【０００２】
ＩＣタグを備える用紙に関する技術が提案されている。例えば、特許出願人は、特許文献１，２で、ＩＣタグを抄き込んだ和紙に関する技術を提案している。即ち、特許文献１，２には、ＩＣタグを抄き込んだ和紙と、この和紙を製造する製造装置が開示されている。前述の製造装置は、第一シリンダと、第二シリンダと、フェルトと、ＩＣテープ巻き出しリールと、ＩＣタグ転写装置を含む。第一シリンダは、紙料を収容した第一槽の内部に水平に支持される。第一シリンダでは、外側周が第一網目とされる。第二シリンダは、紙料を収容した第二槽の内部に水平に支持される。第二シリンダでは、外側周が第二網目とされる。フェルトは、第一シリンダから第二シリンダへ和紙を付着させて搬送する。ＩＣテープ巻き出しリールには、ＩＣタグを備えたＩＣテープが巻き付けられる。ＩＣタグ転写装置は、第一シリンダと第二シリンダの間で、フェルトと近接して配置される。ＩＣタグ転写装置は、ＩＣテープ巻き出しリールから巻き出されたＩＣテープを搬送し裁断する。製造装置では、第一シリンダが回転される。これに伴い、第一網目から外側周方向に流れ出た紙料にて帯状のベース紙が形成される。ベース紙は、フェルトに付着する。ＩＣタグ転写装置では、ベース紙の長手方向と短手方向にそれぞれ一定の間隔で、ＩＣテープ片が転写される。第二シリンダは、第一シリンダと同速度で回転する。これに伴い、第二網目から外側周方向に流れ出た紙料にてカバー紙が形成される。カバー紙は、ベース紙に抄き合わされる。ＩＣテープ片は、ベース紙とカバー紙によって挟み込まれる。製造装置では、このようにしてＩＣタグを抄き込んだ和紙が製造される。特許文献１，２では、ＩＣタグは、非接触ＩＣタグ、非接触データキャリア、無線ＩＣタグ、非接触ＩＣ、非接触ＩＣラベル又はＲＦＩＤタグと称され、ＩＣチップとアンテナを備えるタグ一般を指すものとされている。特許文献１，２には、ＩＣテープの材質として、ポリエチレンと紙が例示されている。ＩＣタグ転写装置は、裁断機を含む。裁断機は、ＩＣテープに等間隔で設けられたマーカーの位置を感知することで、ＩＣテープを所定の長さに裁断しＩＣテープ片を連続的に生成する。ＩＣタグを抄き込んだ和紙は、秘密情報を含むファイル又は高級書類等に利用される。
【０００３】
特許文献３には、ＩＣタグ内蔵印刷用紙が開示されている。ＩＣタグ内蔵印刷用紙は、インレットのＩＣチップ側表面と裏面を保護用の上紙と下紙で被覆した構成とされる。インレットは、厚みが１００μｍ程度である。インレットは、紙基材又はフィルム基材をベースとし、この基材の表面又は表裏には、ループアンテナが形成される。ループアンテナの末端には、ＩＣチップが接続固定される。特に、ＩＣタグ内蔵印刷用紙は、インレットの表裏を、ヒートシール層等の粘着性素材を介して、厚みが１００〜２００μｍ程度の上紙と下紙で被覆した構成とされる。上紙又は下紙には、表面に各種の印刷が可能である。ループアンテナは、厚みが４０〜６０μｍ程度のフィルム基材又は紙基材の表面に、ループ状に設けられる。線幅が１０μｍ程度の配線パターンが、複数回ループ状に引き回される。アンテナ両端は、接続用アイランドに繋げられる。ＩＣチップ側端子は、接続用アイランドに接続され固定される。フィルム基材として、ポリエチレンテレフタレートとポリエチレンナフタレートとポリスチレンとポリイミドが例示されている。紙基材として、上質紙とアート紙とコート紙とマット紙と合成紙が例示されている。ＩＣチップは、概ね０．４〜１．０ｍｍ角程度の大きさとされる。通信周波数として、１３．５６ＭＨｚ（ＨＦ）、９２０ＭＨｚ又は２．４５ＧＨｚ（ＵＨＦ）が例示されている。ＩＣタグの送受信システムは、リーダライタシステムと、ＩＣタグ側のＲＦＩＤシステムで構成される。リーダライタは、ホストコンピュータとＤＰＵ（Digital Processing Unit）と変調・復調回路とループアンテナで構成される。ＲＦＩＤシステムは、共振回路とＩＣチップで構成される。共振回路は、ループアンテナとコンデンサを含む。ＩＣチップには、整流回路と変調回路と復調回路とレギュレータとシーケンサとハイパスフィルタとメモリが組み込まれる。ＩＣ駆動用のエネルギは、リーダライタから放射される電磁波から受け取られる。リーダライタは、ＩＣタグに近接して置かれる。
【０００４】
この他、特許文献４には、ＩＣタグ付き冊子が開示されている。更に、非特許文献１には、特許出願人が開発したＩＣタグ入り和紙に関し、複数の和紙を１ｍｍずつずらした状態で４７枚の和紙を同時に識別できることが開示されている。
【先行技術文献】
【特許文献】
【０００５】
【特許文献１】特開２０１２−６３９８０号公報
【特許文献２】特開２０１２−６２５９９号公報
【特許文献３】特開２０１５−２１０７０４号公報
【特許文献４】特開２０１２−１４６１１号公報
【非特許文献】
【０００６】
【非特許文献１】日本経済新聞社、“福井の小畑製紙所、ＩＣタグ入り和紙  偽造を防止”、［online］、［平成２８年１１月１日検索］、インターネット<URL：http://www.nikkei.com/article/DGXNASJB1403K_Y1A110C1LB0000/>
【発明の概要】
【発明が解決しようとする課題】
【０００７】
機密事項を含む各種の事項が記録された複数の用紙がまとめられ、管理されることがある。例えば、このような複数の用紙は、所定のファイル若しくはホルダーに綴じられ、又は所定のボックス若しくはケースに入れられ管理される。この他、前述の各種の事項が記録された複数の用紙は、冊子としてまとめられることもある。この場合、複数の用紙は、重なった状態となる。用紙に、ＩＣチップとアンテナを含むＩＣタグを設け、各用紙固有の情報を各ＩＣチップに記憶させることで、管理対象の複数の用紙を個別に管理することができる。例えば、重なった各用紙に設けられたＩＣタグのＩＣチップから、各ＩＣチップに記憶された情報を読み取ることで、管理対象の複数の用紙の中に紛失した用紙がないかを確認することができる。この他、前述した情報の読み取りにより、管理対象の複数の用紙の一部が他の用紙に差し替えられていないかを確認することができる。
【０００８】
発明者は、このような確認作業は効率的に行えることが望ましいと考えた。例えば、管理対象の用紙の枚数が多数である場合、用紙を１枚ずつ読取対象とすると、確認作業に時間を要する。そこで、発明者は、より多くの用紙をまとめて読取対象とできる技術が好ましいと考えた。つまり、発明者は、管理対象の各用紙に設けられたＩＣタグのＩＣチップから、各ＩＣチップに記憶された情報をスムーズに読み取れる技術を検討した。その際、発明者は、非特許文献１のように各用紙をずらすといった作業を省略できる技術を検討した。更に、発明者は、ＩＣタグを備える用紙を効率よく製造できる技術を検討した。
【０００９】
本発明は、複数の用紙が重ねられた状態で、各用紙に設けられたＩＣタグのＩＣチップから、各ＩＣチップに記憶された情報を効率よく読み取ることができる、用紙サイズが同一の複数の用紙を含む用紙セットと用紙を提供することを目的とする。
【課題を解決するための手段】
【００１０】
本発明の一側面は、用紙サイズが同一の複数の用紙を含む用紙セットであって、前記用紙は、前記用紙の表面と裏面との間にＩＣタグを備え、前記複数の用紙のうちの第一用紙では、前記ＩＣタグは、前記表面と前記裏面との間の前記用紙の第一方向と前記第一方向に直交する前記用紙の第二方向とを含む仮想平面の第一領域に配置され、前記複数の用紙のうちの第二用紙では、前記ＩＣタグは、前記第一領域とは異なる前記仮想平面の第二領域に配置される、用紙セットである。この場合、前記第二用紙では、前記ＩＣタグは、前記第一領域とは前記第一方向の範囲が一致し且つ前記第二方向の範囲が異なる前記第二領域に配置される、ようにしてもよい。また、前記第二用紙では、前記ＩＣタグは、前記第一領域とは前記第一方向の範囲が異なり且つ前記第二方向の範囲が一致する前記第二領域に配置される、ようにしてもよい。
【００１１】
この用紙セットによれば、各用紙でＩＣタグの位置をずらすことができる。これに伴い、各用紙でＩＣチップの位置をずらすことができる。複数の用紙が重ねられた状態で、各用紙でＩＣタグが配置される領域を第一方向又は第二方向に揃えることができる。
【００１２】
前記表面と前記裏面とのうちの何れか一方の面を形成する第一用紙基材と、前記第一用紙基材と一体をなし、前記表面と前記裏面とのうちの何れか他方の面を形成する第二用紙基材と、を備え、前記ＩＣタグは、前記第一用紙基材と前記第二用紙基材との間に設けられ、前記ＩＣタグには、ＩＣチップとアンテナとが設けられるインレット基材に、前記第一方向と前記第二方向とに直交する前記用紙の第三方向に前記インレット基材を貫通する貫通孔が設けられる、ようにしてもよい。この構成によれば、ＩＣタグが設けられる部分で、第一用紙基材と第二用紙基材を貫通孔を介して繋がった状態とすることができる。第一用紙基材と第二用紙基材がＩＣタグが設けられる部分で剥離するといったことを抑制することができる。
【００１３】
前記用紙は、前記第一用紙基材と前記第二用紙基材とが抄き合わされた和紙であり、前記インレット基材は、樹脂製である、ようにしてもよい。ところで、用紙が第一用紙基材と第二用紙基材が抄き合わされた和紙である場合、第一用紙基材と第二用紙基材が抄き合わされた後、用紙は、乾燥前に脱水される。例えば、用紙は、所定の装置に挿入され、用紙に含まれる水分が用紙から搾り出される。この構成によれば、用紙に含まれる水分を、貫通孔を介して繋がる基材部分を通して用紙外部に搾り出すことができる。用紙を脱水させた状態で乾燥させることができる。
【００１４】
本発明の他の側面は、第一用紙基材と、前記第一用紙基材と一体をなす第二用紙基材と、前記第一用紙基材と前記第二用紙基材との間に設けられるＩＣタグと、を備え、前記ＩＣタグには、ＩＣチップとアンテナとが設けられるインレット基材に、前記インレット基材の厚み方向に一致する第三方向に前記インレット基材を貫通する貫通孔が設けられる、用紙である。
【００１５】
この用紙によれば、ＩＣタグが設けられる部分で、第一用紙基材と第二用紙基材を貫通孔を介して繋がった状態とすることができる。第一用紙基材と第二用紙基材がＩＣタグが設けられる部分で剥離するといったことを抑制することができる。
【００１６】
前記用紙は、前記第一用紙基材と前記第二用紙基材とが抄き合わされた和紙であり、前記インレット基材は、樹脂製である、ようにしてもよい。この構成によれば、第一用紙基材と第二用紙基材が抄き合わされた後、用紙に含まれる水分を、貫通孔を介して繋がる基材部分を通して用紙外部に搾り出すことができる。用紙を脱水させた状態で乾燥させることができる。
【発明の効果】
【００１７】
本発明によれば、複数の用紙が重ねられた状態で、各用紙に設けられたＩＣタグのＩＣチップから、各ＩＣチップに記憶された情報を効率よく読み取ることができる、用紙サイズが同一の複数の用紙を含む用紙セットと用紙を得ることができる。
【図面の簡単な説明】
【００１８】
【図１】複数の用紙と用紙セットの概略構成の一例を示す斜視図である。ＩＣタグが第二方向に所定量ずつずれた態様を示す。
【図２】用紙セットの複数の用紙のうちの１枚の用紙の概略構成の一例を示す斜視図である。上段は、第一用紙基材とＩＣタグと第二用紙基材を示す。下段は、前述の用紙を示す。
【図３】用紙セットの複数の用紙のうちの他の１枚の用紙の概略構成の一例を示す斜視図である。上段は、第一用紙基材とＩＣタグと第二用紙基材を示す。下段は、前述の用紙を示す。
【図４】用紙セットの複数の用紙のうちの更に他の１枚の用紙の概略構成の一例を示す斜視図である。上段は、第一用紙基材とＩＣタグと第二用紙基材を示す。下段は、前述の用紙を示す。
【図５】ＩＣタグの概略構成の一例を示す斜視図である。
【図６】複数の用紙のそれぞれにおける仮想平面でのＩＣタグの配置の一例を示す図である。
【図７】複数の用紙と用紙セットの概略構成の他の例を示す斜視図である。ＩＣタグが第一方向に所定量ずつずれた態様を示す。
【図８】複数の用紙と用紙セットの概略構成の更に他の例を示す斜視図である。ＩＣタグが第一方向と第二方向の両方向に所定量ずつずれた態様を示す。
【発明を実施するための形態】
【００１９】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。実施形態の各図で、破線は、かくれ線であり、２点鎖線は、想像線である。
【００２０】
＜用紙セット及び用紙＞
用紙セット１０と複数の用紙２０について、図１〜図５を参照して説明する。用紙セット１０は、複数の用紙２０を含む。即ち、用紙セット１０は、複数の用紙２０の組み合わせである。実施形態では、１組の用紙セット１０における複数の用紙２０として、３枚の用紙２１，２２，２３を例として説明する。但し、１組の用紙セットにおける用紙の枚数は、２枚又は４枚以上としてもよい。用紙２１，２２，２３を区別しない場合、又はこれらを総称する場合、「用紙２０」という。
【００２１】
用紙２０は、用紙２０の表面２４と裏面２５の間にＩＣタグ４０を備える。ＩＣタグ４０は、例えば、ＲＦタグ又は無線ＩＣタグとも称される。この他、ＩＣタグ４０は、例えば、インレット、タグインレット又はＩＣタグインレットとも称される。実施形態では、用紙セット１０における複数の用紙２０は、２層抄きの和紙とする。この場合、用紙２０は、第一用紙基材３０と、第二用紙基材３２を備える（図２〜図４参照）。用紙２１，２２，２３は、仮想平面ＳでのＩＣタグ４０の配置を除き、同様の構造を有する。仮想平面Ｓは、用紙２０の表面２４と裏面２５の間の仮想の平面である。実施形態の各図で、仮想平面Ｓは、２点鎖線で示す。仮想平面ＳでのＩＣタグ４０の配置については、後述する。
【００２２】
第一用紙基材３０は、用紙２０の表面２４と裏面２５のうちの何れか一方の面の側となる用紙２０の部分となる。即ち、第一用紙基材３０は、用紙２０の表面２４と裏面２５のうちの何れか一方の面を形成する。第二用紙基材３２は、用紙２０の表面２４と裏面２５のうちの何れか他方の面の側となる用紙２０の部分となる。即ち、第二用紙基材３２は、用紙２０の表面２４と裏面２５のうちの何れか他方の面を形成する。実施形態では、第一用紙基材３０は、用紙２０の表面２４を形成し、第二用紙基材３２は、用紙２０の裏面２５を形成することとする。用紙２０では、第一用紙基材３０と第二用紙基材３２は、抄き合わされ一体をなす。第一用紙基材３０では、第二用紙基材３２と抄き合わされる面は、用紙２０の表面２４となる面とは反対側の面である。第二用紙基材３２では、第一用紙基材３０と抄き合わされる面は、用紙２０の裏面２５となる面とは反対側の面である。
【００２３】
実施形態では、用紙２０の表面２４となる第一用紙基材３０の面を、用紙２０の表面２４に準じ「表面２４」とし、第二用紙基材３２と抄き合わされる第一用紙基材３０の面を、「第一面３１」という。用紙２０の裏面２５となる第二用紙基材３２の面を、用紙２０の裏面２５に準じ「裏面２５」とし、第一用紙基材３０と抄き合わされる第二用紙基材３２の面を、「第二面３３」という。実施形態では、説明の便宜上、用紙２０の特定に用いる方向を、「第一方向」、「第二方向」及び「第三方向」という。例えば、用紙２０がＡ４サイズの用紙である場合、第一方向は、２１０ｍｍ及び２９７ｍｍのうちの何れか一方の辺に沿った方向であり、第二方向は、２１０ｍｍ及び２９７ｍｍのうちの何れか他方の辺に沿った方向である。用紙２０は、長方形状の用紙とし、第一方向を、用紙２０の短手方向とし、第二方向を、用紙２０の長手方向とする。第三方向は、第一方向及び第二方向に直交する方向である。換言すれば、第三方向は、用紙２０の表面２４と裏面２５に垂直な用紙２０の厚み方向である。第三方向は、後述するＩＣタグ４０のインレット基材４３の厚み方向にも一致する（図５参照）。
【００２４】
２層抄きの和紙である用紙２０では、ＩＣタグ４０が設けられる用紙２０の表面２４と裏面２５の間の位置は、第一用紙基材３０と第二用紙基材３２の間とされる。即ち、用紙２０は、第一用紙基材３０と第二用紙基材３２の間にＩＣタグ４０を備える。このとき、ＩＣタグ４０は、第一用紙基材３０の第一面３１と第二用紙基材３２の第二面３３に挟まれる。用紙２０が２層抄きの和紙である場合を例とする実施形態では、上述した仮想平面Ｓは、第一用紙基材３０の第一面３１と第二用紙基材３２の第二面３３に一致する。
【００２５】
ＩＣタグ４０は、公知のＩＣタグと同様、例えば、ＩＣチップ４１と、アンテナ４２と、インレット基材４３を含む（図５参照）。ＩＣチップ４１とアンテナ４２は、インレット基材４３に設けられる。ＩＣチップ４１には、次の情報が記憶される。前述の情報は、ＩＣチップ４１を含むＩＣタグ４０が設けられる用紙２０固有の情報である。アンテナ４２は、リーダライタ５０（図１参照）から出力される電磁波又は電波を受信する。図１〜図５及び後述する図６〜図８に示すアンテナ４２の形状は、例示である。アンテナ４２は、例えば、リーダライタ５０から出力される電磁波又は電波に応じて、所定の形状とされる。リーダライタ５０は、公知のＲＦＩＤ（Radio Frequency Identification）によるリーダライタと同様の装置である。用紙セット１０でも、公知のＲＦＩＤと同様の方法により、ＩＣチップ４１に記憶された情報が読み取られる。そのため、リーダライタ５０と前述の情報の読み取りに関する説明は、省略する。
【００２６】
インレット基材４３は、可撓性を有する樹脂製のシート材によって形成される。例えば、インレット基材４３は、所定のフィルム材とされる。インレット基材４３には、貫通孔４４が設けられる。貫通孔４４は、第三方向にインレット基材４３を貫通する。ＩＣタグ４０では、貫通孔４４は、複数設けられる。１個のＩＣタグ４０でインレット基材４３に設ける貫通孔４４の数と形状と配置は、諸条件を考慮して適宜設定される。用紙２０を製造する際、第一用紙基材３０と第二用紙基材３２が抄き合わされた後、用紙２０は、乾燥前に脱水される。脱水は、例えば、抄き合わされた用紙２０を、第三方向から押圧して行われる。貫通孔４４の数と形状と配置は、この脱水の状態を考慮して適宜設定される。ＩＣタグ４０では、更に、インレット基材４３にマーカー４５が設けられる。ＩＣタグ４０は、例えば、ＩＣタグテープを切断し形成される。ＩＣタグテープの切断は、マーカー４５を検出しつつ行われる。但し、ＩＣタグ４０を別の方法にて形成する場合、マーカー４５は、省略してもよい。
【００２７】
＜ＩＣタグの配置＞
仮想平面ＳでのＩＣタグ４０の配置について、図６を参照して説明する。この説明では、仮想平面Ｓの４個の角部のうち、黒丸を付した角部を２次元座標の原点Ｏ（０，０）とする。用紙セット１０では、ＩＣタグ４０が配置される仮想平面Ｓの領域は、用紙２１，２２，２３で異なる配置とされる。即ち、用紙２１では、ＩＣタグ４０は、仮想平面Ｓで、ＩＣタグ４０の第一角部Ｐ１が２次元座標（Ｘ１，Ｙ１）に配置され、ＩＣタグ４０の第二角部Ｐ２が２次元座標（Ｘ２，Ｙ２）に配置される。換言すれば、用紙２１では、ＩＣタグ４０は、仮想平面Ｓ内の２次元座標（Ｘ１，Ｙ１）及び（Ｘ２，Ｙ２）によって特定される４角形状の領域に配置される。実施形態では、用紙２１でＩＣタグ４０が配置される仮想平面Ｓ内の前述の領域を、「領域Ａ」という。図６の「用紙２１」でＩＣタグ４０の内部に示すハッチングされた領域は、領域Ａに対応する。
【００２８】
用紙２２では、ＩＣタグ４０は、仮想平面Ｓで、ＩＣタグ４０の第一角部Ｐ１が２次元座標（Ｘ１，Ｙ３）に配置され、ＩＣタグ４０の第二角部Ｐ２が２次元座標（Ｘ２，Ｙ４）に配置される。換言すれば、用紙２２では、ＩＣタグ４０は、仮想平面Ｓ内の２次元座標（Ｘ１，Ｙ３）及び（Ｘ２，Ｙ４）によって特定される４角形状の領域に配置される。実施形態では、用紙２２でＩＣタグ４０が配置される仮想平面Ｓ内の前述の領域を、「領域Ｂ」という。図６の「用紙２２」でＩＣタグ４０の内部に示すハッチングされた領域は、領域Ｂに対応する。用紙２３では、ＩＣタグ４０は、仮想平面Ｓで、ＩＣタグ４０の第一角部Ｐ１が２次元座標（Ｘ１，Ｙ５）に配置され、ＩＣタグ４０の第二角部Ｐ２が２次元座標（Ｘ２，Ｙ６）に配置される。換言すれば、用紙２２では、ＩＣタグ４０は、仮想平面Ｓ内の２次元座標（Ｘ１，Ｙ５）及び（Ｘ２，Ｙ６）によって特定される４角形状の領域に配置される。実施形態では、用紙２３でＩＣタグ４０が配置される仮想平面Ｓ内の前述の領域を、「領域Ｃ」という。図６の「用紙２３」でＩＣタグ４０の内部に示すハッチングされた領域は、領域Ｃに対応する。
【００２９】
用紙セット１０では、領域Ａ，Ｂ，Ｃは、第一方向に対向する用紙２０の第二方向に沿った両外縁部のうちの一方側の外縁部とされる。用紙セット１０の用紙２１，２２，２３では、領域Ａ，Ｂ，Ｃは、第一方向の範囲が一致し且つ第二方向の範囲が異なる領域となる。従って、用紙セット１０では、用紙２１，２２，２３の第一方向と第二方向を一致させた状態で各用紙２０を重ねると、３個のＩＣタグ４０は、第一方向の位置が一致し、第二方向に所定量ずつずれた位置にそれぞれ配置される（図１下段参照）。換言すれば、前述の状態で、３個のＩＣタグ４０は、第二方向に１列に並んで配置される。
【００３０】
＜実施形態の効果＞
実施形態によれば、次のような効果を得ることができる。
【００３１】
（１）用紙セット１０では、複数の用紙２０は、ＩＣタグ４０を備える（図１参照）。用紙２０でＩＣタグ４０は、用紙２０の表面２４と裏面２５の間となる第一用紙基材３０と第二用紙基材３２の間に設けられる（図２〜図４参照）。更に、複数の用紙２０のうちの用紙２１では、ＩＣタグ４０は、仮想平面Ｓの領域Ａに配置される（図６の「用紙２１」参照）。複数の用紙２０のうちの用紙２２では、ＩＣタグ４０は、領域Ａとは異なる仮想平面Ｓの領域Ｂに配置される（図６の「用紙２２」参照）。複数の用紙２０のうちの用紙２３では、ＩＣタグ４０は、領域Ａ，Ｂとは異なる仮想平面Ｓの領域Ｃに配置される（図６の「用紙２３」参照）。そのため、各用紙２０でＩＣタグ４０の位置をずらすことができる。これに伴い、各用紙２０でＩＣチップ４１の位置をずらすことができる。
【００３２】
例えば、図１下段に示す状態で、リーダライタ５０によって用紙２１，２２，２３に設けられたＩＣタグ４０のＩＣチップ４１に記憶された情報を一度に読み取ることができる。上記では説明を省略したが、用紙セット１０は、３枚の用紙２１，２２，２３を１組とし、複数組まとめて利用することもできる。例えば、用紙２１，２２，２３による用紙セット１０を１０組分まとめることで、合計３０頁の資料とすることができる。この場合、複数の用紙２０は、用紙２１，２２，２３のうちの同一の用紙２０が２枚連続しない状態で綴じられる。例えば、３０頁分の用紙２０は、用紙２１，２２，２３，２１，２２，２３，・・・の順で繰り返して綴じられる。これに伴い、連続する２枚の用紙２０でＩＣタグ４０の位置が一致せず、用紙２１，２２，２３のうちの同一の用紙２０で、複数の用紙２０の積層方向にＩＣチップ４１同士を離間させることができる。リーダライタ５０によって３０頁分の用紙２０に設けられたＩＣタグ４０のＩＣチップ４１に記憶された情報を一度に読み取ることで、例えば、機密事項を含む複数の用紙２０による複数頁の資料から所定の用紙２０が紛失し、又は他の用紙に差し替えられていないかを、効率よく確認することができる。複数の用紙２０は、例えば、用紙２０の外縁部のうち、ＩＣタグ４０が設けられる第二方向に沿った外縁部とは第一方向において反対側となる第二方向に沿った外縁部で綴じられる。
【００３３】
（２）ＩＣタグ４０では、貫通孔４４がインレット基材４３に設けられる（図５参照）。そのため、ＩＣタグ４０が設けられる部分で、第一用紙基材３０と第二用紙基材３２を貫通孔４４を介して繋がった状態とすることができる。第一用紙基材３０と第二用紙基材３２がＩＣタグ４０が設けられる部分（上述の「領域Ａ，Ｂ，Ｃ」参照）で剥離するといったことを抑制することができる。用紙２０を製造する際、用紙２０に含まれる水分を、貫通孔４４を介して繋がる基材部分を介して用紙２０の外部に搾り出すことができる。用紙２０を脱水させた状態で乾燥させることができる。
【００３４】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００３５】
（１）特許出願人による特許文献１，２には、上述した通り、ＩＣタグを抄き込んだ和紙の製造方法に関する記載がされている。上記では説明を省略したが、用紙２０も、この製造方法と同様の製造方法によって製造することができる。その際、特許文献１，２の製造装置と同様の製造装置が用いられる。特許文献１，２の製造方法と同様の製造方法で用紙２０を製造する場合、ＩＣタグ４０は、上述したように、用紙２１，２２，２３で異なる配置とされる。特許文献１，２の製造方法と同様の製造方法で製造された長尺の和紙は、１枚あたり１個のＩＣタグ４０を含む状態で、所定の用紙サイズの用紙２０へと裁断される。特許文献１，２に例示された構成では、３個のＩＣタグが、製造される長尺の和紙の短手方向に所定の間隔で配置される。特許文献１，２の製造方法と同様の製造方法では、３個のＩＣタグ４０の供給位置が長尺の和紙の長手方向にずらされる。これに伴い、前述の長手方向に対応する方向にＩＣタグ４０の配置が異なる３種類の用紙２１，２２，２３を得ることができる。
【００３６】
（２）用紙セット１０の用紙２１，２２，２３では、ＩＣタグ４０は、第二方向に所定量ずつずれた位置に配置される（図１及び図６参照）。即ち、用紙２１，２２，２３が重ねられた状態で、３個のＩＣタグ４０は、第二方向に１列に並んで配置される。用紙２１，２２，２３では、ＩＣタグ４０の配置は、これとは異なる配置としてもよい。例えば、用紙２１，２２，２３では、ＩＣタグ４０は、図７に示すように、第一方向に所定量ずつずれた位置に配置してもよい。図７に示す用紙セット１０では、用紙２１，２２，２３でＩＣタグ４０が配置される仮想平面Ｓ内の各領域は、第二方向に対向する用紙２０の第一方向に沿った両外縁部のうちの一方側の外縁部とされる。前述の各領域は、第一方向の範囲が異なり且つ第二方向の範囲が一致する領域となる。この他、用紙２１，２２，２３では、ＩＣタグ４０は、図８に示すように、第一方向と第二方向の両方向に所定量ずつずれた位置に配置してもよい。図８に示す用紙セット１０では、用紙２１，２２，２３でＩＣタグ４０が配置される仮想平面Ｓ内の各領域は、第一方向の範囲が異なり且つ第二方向の範囲が異なる領域となる。ＩＣタグ４０が配置される仮想平面Ｓ内の各領域は、仮想平面Ｓの外縁部より内側としてもよい。例えば、前述の各領域は、仮想平面Ｓ内の第一方向及び／又は第二方向の中央部としてもよい。
【００３７】
（３）インレット基材４３は、樹脂製とされる。インレット基材は、紙製としてもよい。樹脂製又は紙製のインレット基材では、貫通孔４４は、省略してもよい。例えば、脱水後の乾燥工程で、脱水された用紙を乾燥できる場合、貫通孔４４は、省略してもよい。この他、樹脂製又は紙製のインレット基材で第一方向と第二方向の何れか一方又は両方の寸法が小さい場合、貫通孔４４は、省略してもよい。材質に関わらずインレット基材が小さくなると、脱水時に、インレット基材によって移動が遮られる水の量が少なくなる。
【００３８】
（４）用紙２０では、第一用紙基材３０と第二用紙基材３２は、抄き合わされる（図２〜図４参照）。用紙２０は、和紙以外の用紙であってもよい。この場合、第一用紙基材と第二用紙基材は、ＩＣタグ４０を上記同様の配置とした状態で、所定の方法にて一体とされる。例えば、第一用紙基材と第二用紙基材は、ＩＣタグ４０を挟み込んだ状態で貼り合わされる。
【００３９】
（５）用紙２０では、例えば、表面２４又は裏面２５の所定の位置に、所定の方法で所定の模様を形成してもよい。この場合、例えば、用紙２１，２２，２３をそれぞれ識別する情報、又は機密文書であることを示す情報を、模様として形成してもよい。所定の模様としては、表面２４又は裏面２５に形成される凹状の模様が例示される。用紙２０が和紙である場合、所定の模様は、透かし模様としてもよい。
【符号の説明】
【００４０】
１０  用紙セット、  ２０，２１，２２，２３  用紙、  ２４  表面、  ２５  裏面
３０  第一用紙基材、  ３１  第一面、  ３２  第二用紙基材、  ３３  第二面
４０  ＩＣタグ、  ４１  ＩＣチップ、  ４２  アンテナ、  ４３  インレット基材
４４  貫通孔、  ４５  マーカー、  ５０  リーダライタ、  Ａ，Ｂ，Ｃ  領域
Ｏ  原点、  Ｐ１  第一角部、  Ｐ２  第二角部、  Ｓ  仮想平面
【図１】
2018111213.tif 000003
【図２】
2018111213.tif 000004
【図３】
2018111213.tif 000005
【図４】
2018111213.tif 000006
【図５】
2018111213.tif 000007
【図６】
2018111213.tif 000008
【図７】
2018111213.tif 000009
【図８】
2018111213.tif 000010